(57)【要約】      （修正有）【課題】アドレス設定に要する時間を短縮することが可能なネットワーク対応装置およびＩＰアドレス設定方法を提供する。【解決手段】ＤＨＣＰアドレス取得手段による第１のＩＰアドレスの取得と、ＡｕｔｏＩＰアドレス取得手段による第２のＩＰアドレスの取得をほぼ同時刻に指示し、第１のＩＰアドレスの取得状況と、第２のＩＰアドレスの取得状況に応じてネットワークインターフェース部に、いずれかのＩＰアドレスを設定する実行制御手段とを備える。【選択図】  図１
2006270863.tif 000002
【特許請求の範囲】
【請求項１】
ＩＰネットワークを介して通信可能なネットワーク対応装置において、
前記ＩＰネットワークと接続可能なネットワークインターフェース手段と、
ＤＨＣＰによる第1のＩＰアドレスを取得するためのＤＨＣＰアドレス取得
手段と、
ＡｕｔｏＩＰによる第２のＩＰアドレスを取得するためのＡｕｔｏＩＰアド
レス取得手段と、
前記ＩＰネットワークへの接続時に、前記ＤＨＣＰアドレス取得手段による第１のＩＰ
アドレスの取得と、前記ＡｕｔｏＩＰアドレス取得手段による第２のＩＰアドレスの取得
をほぼ同時刻に指示し、前記第１のＩＰアドレスの取得状況と、前記第２のＩＰアドレス
の取得状況に応じて前記ネットワークインターフェース部に、前記第1のＩＰアドレスお
よび前記第２のＩＰアドレスのいずれかのＩＰアドレスを設定する実行制御手段とを具備
したこと特徴とするネットワーク対応装置。
【請求項２】
前記実行制御手段は、前記ＩＰネットワークへの接続時に、前記ＤＨＣＰア
ドレス取得手段による第１のＩＰアドレスの取得を指示した後、所定の時間が
経過しても前記第1のＩＰアドレスが取得できなかった場合は、前記第２のＩ
Ｐアドレスを前記ネットワークインターフェース部に設定することを特徴とす
る請求項１記載のネットワーク対応装置。
【請求項３】
前記実行制御手段は、前記ＩＰネットワークへの接続時に、前記ＤＨＣＰア
ドレス取得手段による第１のＩＰアドレスの取得を指示した後、第1の所定の
時間が経過しても前記第1のＩＰアドレスが取得できなかった場合は、前記第
２のＩＰアドレスを前記ネットワークインターフェース部に設定し、第1の所
定の時間よりも長い第２の所定の時間が経過した時点で前記第1のＩＰアドレ
スの取得ができた場合には、前記ネットワークインターフェース部へ前記第１
のＩＰアドレスを設定することを特徴とする請求項１記載のネットワーク対応
装置。
【請求項４】
ＩＰネットワークを介して通信可能なネットワーク対応装置のＩＰアドレス
設定方法において、
ＤＨＣＰによる第1のＩＰアドレスを取得するためのＤＨＣＰアドレス取得
ステップと、
ＡｕｔｏＩＰによる第２のＩＰアドレスを取得するためのＡｕｔｏＩＰアド
レス取得ステップと、
前記ＩＰネットワークへの接続時に、前記ＤＨＣＰアドレス取得ステップに
よる第１のＩＰアドレスの取得と、前記ＡｕｔｏＩＰアドレス取得ステップに
よる第２のＩＰアドレスの取得をほぼ同時刻に指示し、前記第１のＩＰアドレ
スの取得状況と、前記第２のＩＰアドレスの取得状況に応じて、前記ＩＰネッ
トワークと接続可能なネットワークインターフェース手段に、前記第1のＩＰ
アドレスおよび前記第２のＩＰアドレスのいずれかのＩＰアドレスを設定する
実行制御ステップとからなることを特徴とするＩＰアドレス設定方法。
【請求項５】
前記実行制御ステップは、前記ＩＰネットワークへの接続時に、前記ＤＨＣ
Ｐアドレス取得ステップによる第１のＩＰアドレスの取得を指示した後、所定
の時間が経過しても前記第1のＩＰアドレスが取得できなかった場合は、前記
第２のＩＰアドレスを前記ネットワークインターフェース部に設定することを
特徴とする請求項４記載のＩＰアドレス設定方法。
【請求項６】
前記実行制御ステップは、前記ＩＰネットワークへの接続時に、前記ＤＨＣ
Ｐアドレス取得ステップによる第１のＩＰアドレスの取得を指示した後、第1
の所定の時間が経過しても前記第1のＩＰアドレスが取得できなかった場合は、
前記第２のＩＰアドレスを前記ネットワークインターフェース部に設定し、第1
の所定の時間よりも長い第２の所定の時間が経過した時点で前記第1のＩＰア
ドレスの取得ができた場合には、前記ネットワークインターフェース部へ前記
第１のＩＰアドレスを設定することを特徴とする請求項５記載のＩＰアドレス
設定方法。
【発明の詳細な説明】
【技術分野】
【０００１】
本発明は、ネットワーク対応装置およびＩＰアドレス設定方法に係り、ネッ
トワークに接続された際のＩＰアドレスを自動的に設定するネットワーク対応
装置およびそのＩＰアドレス設定方法に関する。
【背景技術】
【０００２】
従来、ＩＰｖ４アドレスの自動設定方法には、ＩＥＴＦ  ＲＦＣ２１３１で
規定されるＤＨＣＰ (Dynamic Host Configuration Protocol)によるアドレス
設定ならびに、ＩＥＴＦ  ＲＦＣ３９２７（Dynamic Configuration of IPv4  
Link-Local Addresses）で規定されるＡｕｔｏＩＰと呼ばれる動的にリンクロ
ーカルアドレスを設定する方法があった。
【０００３】
これら従来の技術によるＤＨＣＰとＡｕｔｏＩＰによるアドレス設定の手順
は、まずＤＨＣＰアドレスの取得を試み、これに成功すればこのアドレスを用
い、一方ＤＨＣＰアドレスの取得に失敗した場合には、次にＡｕｔｏＩＰによ
るアドレス設定を行っていた。
【０００４】
また、例えば特許文献１には、ＩＰアドレスを設定する場合に所属するネッ
トワークのアドレスにより、自動的にＡｕｔｏＩＰにて自己決定するか否かを
判断する電子機器が記載されている。
【特許文献１】特開２００３−２７３８７３号公報
【非特許文献１】ＩＥＴＦ  ＲＦＣ２１３１: Dynamic Host Configuration ProtocolＩＥＴＦ  ＲＦＣ３９２７：Dynamic Configuration of IPv4 Link-Local Addresses
【発明の開示】
【発明が解決しようとする課題】
【０００５】
しかしながら、上述した従来の技術は、まずＤＨＣＰアドレスの取得を試み、
この失敗が判明し、さらにＡｕｔｏＩＰによるアドレス設定を行うという手順
を実施していたため、アドレスの設定に要する時間が長くなるという問題があ
った。
【０００６】
また、特許文献１に開示されている電子機器では、ネットワークのアドレス
に応じてＡｕｔｏＩＰによる自己決定をするか否かを判断しているため、この
判断がネットワークのアドレスを知りえた後となることから、アドレス設定に
要する時間が長くなるという問題があった。
【０００７】
本発明は上述の事情を考慮してなされたものであり、アドレス取得における
手順を変更することにより、このアドレス設定に要する時間を短縮することが
可能なネットワーク対応装置およびＩＰアドレス設定方法を提供することを目
的とする。
【課題を解決するための手段】
【０００８】
上記課題を解決するため、請求項１に係る発明のネットワーク対応装置では、  
ＩＰネットワークと接続可能なネットワークインターフェース手段と、ＤＨＣ
Ｐによる第1のＩＰアドレスを取得するためのＤＨＣＰアドレス取得手段と、
ＡｕｔｏＩＰによる第２のＩＰアドレスを取得するためのＡｕｔｏＩＰアドレ
ス取得手段と、ＩＰネットワークへの接続時に、ＤＨＣＰアドレス取得手段に
よる第１のＩＰアドレスの取得と、ＡｕｔｏＩＰアドレス取得手段による第２
のＩＰアドレスの取得をほぼ同時刻に指示し、第１のＩＰアドレスの取得状況
と、第２のＩＰアドレスの取得状況に応じてネットワークインターフェース部
に、第1のＩＰアドレスおよび第２のＩＰアドレスのいずれかのＩＰアドレス
を設定する実行制御手段とを具備する。
【０００９】
更に請求項２に係る発明のネットワーク対応装置では、実行制御手段は、Ｉ
Ｐネットワークへの接続時に、ＤＨＣＰアドレス取得手段による第１のＩＰア
ドレスの取得を指示した後、所定の時間が経過しても第1のＩＰアドレスが取
得できなかった場合は、第２のＩＰアドレスをネットワークインターフェース
部に設定することを特徴とする。
【００１０】
更に請求項３に係る発明のネットワーク対応装置では、実行制御手段は、Ｉ
Ｐネットワークへの接続時に、ＤＨＣＰアドレス取得手段による第１のＩＰア
ドレスの取得を指示した後、第1の所定の時間が経過しても第1のＩＰアドレ
スが取得できなかった場合は、第２のＩＰアドレスをネットワークインターフ
ェース部に設定し、第1の所定の時間よりも長い第２の所定の時間が経過した
時点で第1のＩＰアドレスの取得ができた場合には、ネットワークインターフ
ェース部へ第１のＩＰアドレスを設定することを特徴とする。
【００１１】
また請求項４に係る発明のＩＰアドレス設定方法では、ＤＨＣＰによる第1
のＩＰアドレスを取得するためのＤＨＣＰアドレス取得ステップと、Ａｕｔｏ
ＩＰによる第２のＩＰアドレスを取得するためのＡｕｔｏＩＰアドレス取得ス
テップと、ＩＰネットワークへの接続時に、ＤＨＣＰアドレス取得ステップに
よる第１のＩＰアドレスの取得と、ＡｕｔｏＩＰアドレス取得ステップによる
第２のＩＰアドレスの取得をほぼ同時刻に指示し、第１のＩＰアドレスの取得
状況と、第２のＩＰアドレスの取得状況に応じて、ＩＰネットワークと接続可
能なネットワークインターフェース手段に、第1のＩＰアドレスおよび第２の
ＩＰアドレスのいずれかのＩＰアドレスを設定する実行制御ステップとからな
る。
【００１２】
更に請求項５に係る発明のＩＰアドレス設定方法では、実行制御ステップは、
ＩＰネットワークへの接続時に、ＤＨＣＰアドレス取得ステップによる第１の
ＩＰアドレスの取得を指示した後、所定の時間が経過しても第1のＩＰアドレ
スが取得できなかった場合は、第２のＩＰアドレスを前記ネットワークインタ
ーフェース部に設定することを特徴とする。
【００１３】
更に請求項５に係る発明のＩＰアドレス設定方法では、実行制御ステップは、
ＩＰネットワークへの接続時に、ＤＨＣＰアドレス取得ステップによる第１の
ＩＰアドレスの取得を指示した後、第1の所定の時間が経過しても第1のＩＰ
アドレスが取得できなかった場合は、第２のＩＰアドレスをネットワークイン
ターフェース部に設定し、第1の所定の時間よりも長い第２の所定の時間が経
過した時点で第1のＩＰアドレスの取得ができた場合には、ネットワークイン
ターフェース部へ第１のＩＰアドレスを設定することを特徴とする。
【発明の効果】
【００１４】
本発明によれば、アドレス取得における手順を変更することにより、ネット
ワーク対応装置におけるアドレス設定に要する時間を短縮することができる。
【発明を実施するための最良の形態】
【００１５】
以下、図面を参照して本発明の実施形態について説明する。
【００１６】
図1は本発明の第1の実施形態に係るＩＰアドレス設定機能を示すブロック
図である。
【００１７】
実行制御部１はＤＨＣＰアドレス取得部２に開始指示あるいは中断指示を指
示し、ＤＨＣＰによるＩＰアドレスの取得が成功した場合はアドレス取得成功
応答と取得されたＩＰアドレスを受け取る。
【００１８】
ＤＨＣＰによるＩＰアドレスの取得が失敗した場合は、アドレス取得失敗応
答をＤＨＣＰアドレス取得部２から受け取る。
【００１９】
また、ＡｕｔｏＩＰアドレス取得部３に開始指示あるいは中断指示を引き渡
し、ＡｕｔｏＩＰによるＩＰアドレスの取得が成功した場合には、アドレス取
得成功応答と取得されたＩＰアドレスを受け取る。
【００２０】
ＡｕｔｏＩＰによるＩＰアドレスの取得が失敗した場合は、アドレス取得失
敗応答をＡｕｔｏＩＰアドレス取得部３とから受け取る。
【００２１】
ＤＨＣＰアドレス取得部２は、実行制御部１からの開始指示を受け取り、Ｄ
ＨＣＰによるＩＰアドレスの取得を試行し、ＤＨＣＰによるＩＰアドレスの取
得に成功した場合には、その取得されたＩＰアドレスと成功を示す旨のアドレ
ス取得成功応答とを実行制御部１に引き渡す。
【００２２】
一方、ＩＰアドレスの取得に失敗した場合には、アドレス取得失敗応答を実
行制御部１に引き渡す。
【００２３】
また、実行制御部１から中断指示を受け取った場合には、ＤＨＣＰによるＩ
Ｐアドレスの取得試行を中断する。
【００２４】
ＡｕｔｏＩＰアドレス取得部３は、実行制御部１からの開始指示を受け取り、
ＡｕｔｏＩＰによるＩＰアドレスの取得を試行し、ＡｕｔｏＩＰによるＩＰア
ドレスの取得に成功した場合には、その取得されたＩＰアドレスと成功を示す
旨のアドレス取得成功応答とを実行制御部１に引き渡す。
【００２５】
一方、ＩＰアドレスの取得に失敗した場合にはアドレス取得失敗応答を実行
制御部１に引き渡す。
【００２６】
また、実行制御部１から中断指示を受け取った場合には、ＡｕｔｏＩＰによ
るＩＰアドレスの取得試行を中断する。
【００２７】
ＩＰアドレス設定部４は、実行制御部１からＩＰアドレスを受け取り、この
ＩＰアドレスを、図示しないネットワークインタフェースに設定する。
図２は、本発明の第1の実施形態に係る状態推移図である。本実施形態におい
ては、前述のＤＨＣＰアドレス取得部２への開始指示の引き渡しとＡｕｔｏＩ
Ｐアドレス取得部３への開始指示引き渡しとを並行に実行する実行制御部１を
持つことを特徴とする。
【００２８】
すなわち、この実行制御部１の状態管理に特徴を持つ。この実行制御部１の
状態管理について説明する。
【００２９】
アドレス未設定状態５は、初期状態である。実行制御部１は、ユーザからの
アドレス取得指示あるいはシステムからのアドレス取得指示を受け取り、アド
レス取得試行開始状態６に移る。
【００３０】
アドレス取得試行開始状態６では、実行制御部１は、ＤＨＣＰアドレス取得
部２とＡｕｔｏＩＰアドレス取得部３のそれぞれに開始指示を引き渡し、 アド
レス取得試行中状態７に移る。
【００３１】
アドレス取得試行中状態７では、実行制御部１は、ＤＨＣＰアドレス取得部
２あるいはＡｕｔｏＩＰアドレス取得部３からの応答を待ち、これらの応答の
内容により、以下に説明する４つの状態に遷移する。
【００３２】
（１）ＡｕｔｏＩＰアドレス取得部３からアドレス取得成功とＩＰアドレス
とを受信した場合には、ＡｕｔｏＩＰアドレス保持状態８に移る。
【００３３】
（２）ＤＨＣＰアドレス取得部２からアドレス取得成功とＩＰアドレスとを
受け取った場合には、ＡｕｔｏＩＰアドレス取得部３に中断指示を引き渡し、
ＩＰアドレス設定部４にＩＰアドレスを引き渡し、アドレス設定状態１１に移
る。
【００３４】
（３）ＡｕｔｏＩＰアドレス取得部３からアドレス取得失敗を受け取った場
合には、ＡｕｔｏＩＰアドレス失敗状態９に移る。
【００３５】
（４）ＤＨＣＰアドレス取得部２からアドレス取得失敗を受け取った場合に
は、ＤＨＣＰアドレス取得失敗状態１０に移る。
【００３６】
このうちＡｕｔｏＩＰアドレス保持状態８では、実行制御部１は、ＤＨＣＰ
アドレス取得部２からの応答を待ち、この内容によりＡｕｔｏＩＰにより得ら
れたＩＰアドレスあるいはＤＨＣＰにより得られたＩＰアドレスのいづれかを
ＩＰアドレス設定部４に引き渡す。以下に、この遷移の条件を示す。
【００３７】
（１）ＤＨＣＰアドレス取得部２から、アドレス取得失敗応答を受け取った
場合には、この状態に遷移する時に保持したＡｕｔｏＩＰにより得られたＩＰ
アドレスをＩＰアドレス設定部４に引き渡し、アドレス設定状態１１に移る。
【００３８】
（２）ＤＨＣＰアドレス取得部２から、アドレス取得成功応答とＤＨＣＰに
より得られたＩＰアドレスとを受け取った場合には、このＤＨＣＰにより得ら
れたＩＰアドレスをＩＰアドレス設定部４に引き渡し、アドレス設定状態１１
に移る。
【００３９】
ＡｕｔｏＩＰアドレス取得失敗状態９では、実行制御部１は、ＤＨＣＰアド
レス取得部２からの応答を待ち、この内容によりアドレス設定状態１１あるい
はアドレス未設定状態８へと遷移する。以下に遷移の条件を示す。
【００４０】
（１）ＤＨＣＰアドレス取得部２からアドレス取得成功応答とＩＰアドレス
とを受け取った場合には、このＩＰアドレスをＩＰアドレス設定部４に引き渡
し、アドレス設定状態１１に移る。
【００４１】
（２）ＤＨＣＰアドレス取得部２からアドレス取得失敗応答を受け取った場
合には、アドレス設定に失敗したことが判明し、アドレス未設定状態８に移る。
【００４２】
ＤＨＣＰアドレス取得失敗状態１０では、実行制御部１は、ＡｕｔｏＩＰア
ドレス取得部３からの応答を待ち、この内容によりアドレス設定状態、あるい
はアドレス未設定状態へと遷移する。以下に遷移の条件を示す。
【００４３】
（１）ＡｕｔｏＩＰアドレス取得部３からアドレス取得成功応答とＩＰアド
レスとを受け取った場合には、このＩＰアドレスをＩＰアドレス設定部４に引
き渡し、アドレス設定状態１１に移る。
【００４４】
（２）ＡｕｔｏＩＰアドレス取得部３からアドレス取得失敗応答を受け取っ
た場合には、アドレス設定に失敗したことが判明し、アドレス未設定状態８に
移る。
【００４５】
アドレス設定状態１１ならびに、アドレス未設定状態８は、終了状態であり、
ユーザーあるいはシステムからの指示によりアドレスの再設定を指示されるま
では、実行制御部１は状態遷移を引き起さないが、アドレス未設定状態８にな
った場合は、再度アドレス設定を指示するようにしてもよい。また再度アドレ
ス設定の場合は、ＡｕｔｏＩＰによるアドレスの取得にのみ再度試行するよう
にしてもよい。
【００４６】
上記の状態遷移の説明から明らかとなるように、本実施形態においては実行
制御部１のアドレス取得試行開始状態６にて並行してＤＨＣＰアドレス取得部
２とＡｕｔｏＩＰアドレス取得部３とに開始指示を送信し、これらの応答によ
り、ＤＨＣＰによるアドレス設定、あるいはＡｕｔｏＩＰによるアドレス設定
が行われたアドレス設定状態１１、またはアドレス設定失敗によるアドレス未
設定状態５となる。
【００４７】
次に本実施の形態に係る動作タイミングにつき図３を用いて説明する。
【００４８】
図３はアドレス取得試行に関する動作タイミングを示す説明図である。図３
においては、ＤＨＣＰによるアドレス設定が失敗し、ＡｕｔｏＩＰによるアド
レス設定が成功する状況におけるアドレス取得試行の時間推移について説明し
ている。
【００４９】
まず時刻ｔ０にアドレス取得を開始し、ＤＨＣＰならびにＡｕｔｏＩＰによ
るアドレス取得を並行して実行する（Ｓ１、Ｓ２）。この後、時刻ｔ１にはＡ
ｕｔｏＩＰによるアドレス取得が完了するが、この段階ではＡｕｔｏＩＰアド
レス保持状態に遷移し、次に時刻ｔ２にＤＨＣＰアドレス取得が失敗したこと
が判明すると、この時点でＡｕｔｏＩＰにより得られたＩＰアドレスが利用可
能となる（Ｓ３）。
【００５０】
従来技術を用いた場合は、ＤＨＣＰアドレスの取得が失敗したことが判明し
た後にＡｕｔｏＩＰによるアドレス取得処理が行われる。そのため、時刻ｔ２
以降にＡｕｔｏＩＰによるアドレスが取得開始され、この結果を待って最終的
なＩＰアドレスが利用可能となるが、本発明によれば、ＩＰアドレスが利用可
能になる時刻が、ｔ０からｔ２までの期間に短縮される。これによりネットワ
ークに接続してから短時間のうちにＩＰアドレスを利用可能となる。
【００５１】
またＡｕｔｏＩＰアドレス取得試行（Ｓ１）により、ＩＰアドレスが取得で
きたｔ１のタイミングにおいて、ネットワークインターフェースにＩＰアドレ
スを設定するようにしてもよい。この場合、ＤＨＣＰアドレス取得試行（Ｓ２）
によりＩＰアドレスの取得が完了したときにＤＨＣＰにより取得できたアドレ
スに切り替えてもよいし、ローカルのネットワーク以外の外部ネットワークへ
の接続をユーザーまたは使用しているアプリケーションソフトウエアが希望し
ないのであれば、ＡｕｔｏＩＰアドレスにより取得したＩＰアドレスを使い続
けるようにしても良い。
【００５２】
図４は本発明の第２の実施形態に係るＩＰアドレス設定機能を搭載したネッ
トワーク対応装置の構成図である。
【００５３】
図４において、ネットワーク対応装置１００は、いわゆるインターネットな
どのネットワーク接続対応の装置であり、例えば、パーソナルコンピュータや
ネットワーク対応家電装置などである。
【００５４】
ネットワーク対応装置１００は、実行制御部１０１、ＤＨＣＰアドレス取得
部１０２、ＡｕｔｏＩＰアドレス取得部１０３、ＩＰアドレス設定部１０４、
ＩＰアドレス利用アプリケーション１０５、ネットワークインターフェース１
０６を具備する。
【００５５】
実行制御部１０１、ＤＨＣＰアドレス取得部１０２、ＡｕｔｏＩＰアドレス
取得部１０３、ＩＰアドレス設定部１０４はそれぞれ第1の実施の形態である
図1の実行制御部１、ＤＨＣＰアドレス取得部２、ＡｕｔｏＩＰアドレス取得
部３、ＩＰアドレス設定部４と同一の機能を持つため詳細説明を省略する。
【００５６】
ＩＰアドレス利用アプリケーション１０５は、ＩＰアドレスを利用したネッ
トワーク通信を実行するプログラムであり、例えば一般に広く使われるものと
して、ＷＷＷブラウザや電子メールリーダなどがある。
【００５７】
ネットワークインタフェース１０６は、ＩＰアドレスを設定する対象であり、
一般にはネットワークカード等の物理ネットワークへの窓口となる機器を示す。
【００５８】
ただし、仮想ネットワークインタフェース等の論理的な構成であってもよく、
本発明にて得られる効果も同様である。
【００５９】
ＩＰネットワーク１０７は、ＩＰアドレスによる経路制御が可能となるネッ
トワークであり、家庭内やオフィス内に設置されたローカルなネットワーク、
あるいはインターネットなどのグローバルなネットワークを表している。
【００６０】
ネットワーク対応装置１００の起動時に実行制御部１０１がＩＰアドレス取
得の動作を実行する。詳細は第1の実施の形態にて説明してあるため省略する。
【００６１】
これによりＩＰアドレス設定部１０４にＤＨＣＰあるいはＡｕｔｏＩＰによ
り得られたＩＰアドレスが引き渡される。
【００６２】
ＩＰアドレス設定部１０４は、引き渡されたＩＰアドレスを本ネットワーク
対応装置のネットワークインタフェース１０６に設定する。
【００６３】
インタフェースインタフェース１０６にＩＰアドレスが設定された後に、Ｉ
Ｐアドレス利用アプリケーション１０５は、ネットワークインタフェース１０
６を経由しＩＰネットワーク１０７上の他の装置とＩＰ通信を実行することが
可能となる。
【００６４】
本実施の形態に係るパーソナルコンピュータやネットワーク対応家電機器な
どネットワーク対応装置では、ＩＰアドレス設定にかかる時間を大幅に短縮す
ることができる。
【００６５】
これにより、ユーザーがＩＰアドレス利用アプリケーション１０５などを利
用可能となるまでの時間を短縮することができる。
【図面の簡単な説明】
【００６６】
【図１】本発明の第1の実施形態に係るＩＰアドレス設定機能のブロック図。
【図２】本発明の第1の実施形態に係る状態推移図。
【図３】本発明の第1の実施形態に係る動作タイミングを示す説明図。
【図４】本発明の第２の実施形態に係るネットワーク対応装置の構成図。
【符号の説明】
【００６７】
１・・・実行制御部
２・・・ＤＨＣＰアドレス取得部
３・・・ＡｕｔｏＩＰアドレス取得部
４・・・ＩＰアドレス設定部
【図１】
2006270863.tif 000003
【図２】
2006270863.tif 000004
【図３】
2006270863.tif 000005
【図４】
2006270863.tif 000006